(57)【要約】【課題】  吊り上げ用の牽引体が係止される吊元の位置をエレベータ用巻上機ユニットの重心位置より高い位置とし、エレベータ用巻上機ユニットの吊り上げを安定して行うことができるエレベータ用巻上機ユニットの吊り治具を提供する。【解決手段】  エレベータ用巻上機ユニットの吊り治具において、マシンビーム５にエレベータ用巻上機４を連結したエレベータ用巻上機ユニット２におけるマシンビーム５の上面に連結される取付ビーム９と、取付ビーム９の上面に連結され、吊り上げ用の牽引体が係止される複数の吊元１０とを備える。【選択図】    図２
2007182270.tif 000002
【特許請求の範囲】
【請求項１】
マシンビームにエレベータ用巻上機を連結したエレベータ用巻上機ユニットにおける前記マシンビームの上面に連結される取付ビームと、
前記取付ビームの上面に連結され、吊り上げ用の牽引体が係止される複数の吊元と、
を備えることを特徴とするエレベータ用巻上機ユニットの吊り治具。
【請求項２】
前記マシンビームに前記取付ビームが連結された場合における前記吊元への前記牽引体の係止位置が、前記エレベータ用巻上機ユニットの重心位置より上方に位置していることを特徴とする請求項１記載のエレベータ用巻上機ユニットの吊り治具。
【請求項３】
前記マシンビームへの前記取付ビームの連結位置と、前記取付ビームへの前記吊元の連結位置とは、前記エレベータ用巻上機ユニットの重心位置から前記吊元までの水平方向の距離が等しくなる位置とされていることを特徴とする請求項１又は２記載のエレベータ用巻上機ユニットの吊り治具。
【請求項４】
前記取付ビームは上面板と下面板とを有する断面形状がＨ形に形成され、前記上面板に前記吊元を位置調節可能に連結する複数の長穴が形成され、前記下面板に前記取付ビームを前記マシンビームに位置調節可能に連結する複数の長穴が形成されていることを特徴とする請求項１ないし３のいずれか一記載のエレベータ用巻上機ユニットの吊り治具。
【発明の詳細な説明】
【技術分野】
【０００１】
本発明は、エレベータ用巻上機ユニットの吊り治具に関し、特に、マシンビームにエレベータ用巻上機を連結したエレベータ用巻上機ユニットを吊り上げて機械室内に搬入する場合に使用するエレベータ用巻上機ユニットの吊り治具に関する。
【背景技術】
【０００２】
近年、新築される建物へのエレベータの据え付けに際し、エレベータ用巻上機とマシンビームとを連結したエレベータ用巻上機ユニットを設け、このエレベータ用巻上機ユニットを吊り上げてエレベータ用の機械室内に搬入するという工法が採用されている。
【０００３】
このような工法で設置されるエレベータ用巻上機ユニットの一例を図９及び図１０に示す。エレベータ用巻上機ユニット１００は、メインシーブ１０１を有するエレベータ用巻上機１０２と、平行に対向して井形状に連結された二対のマシンビーム１０３，１０４と、複数の吊元１０５と、そらせシーブ１０６とを備えている。マシンビーム１０３，１０４は、マシンビーム１０３が上側となる位置に連結され、上側に位置するマシンビーム１０３の上面側にエレベータ用巻上機１０２が固定された巻上機ベッド１０７がボルト締め等により固定されている。
【０００４】
吊元１０５は、エレベータ用巻上機ユニット１００を吊り上げる場合にワイヤロープ先端に連結されたフックが引っ掛けられる部分であり、マシンビーム１０３の側面に溶接固定された板部材１０５ａと、板部材１０５ａに取り付けられた引っ掛けリング１０５ｂとを備えている。
【０００５】
エレベータ用巻上機ユニット１００の機械室内への搬入は、複数本、例えば４本のワイヤロープ先端に連結されたフックを４つの引っ掛けリング１０５ｂに引っ掛け、ワイヤロープをタワークレーン等を用いて吊り上げることにより行っている。
【０００６】
エレベータ用巻上機ユニット１００を吊り上げる場合には、ワイヤロープ先端のフックが引っ掛けられた引っ掛けリング１０５ｂが図１０において仮想線で示す上方位置に回動する。
【発明の開示】
【発明が解決しようとする課題】
【０００７】
しかしながら、前述のエレベータ用巻上機ユニットにおいては、以下の点について配慮がなされていない。
【０００８】
近年、エレベータにおいて、エレベータ用巻上機１０２が大型化、重量化される傾向にあり、エレベータ用巻上機ユニット１００におけるエレベータ用巻上機１０２が占める重量比率が大きくなっている。
【０００９】
このため、エレベータ用巻上機ユニット１００の重心位置“Ａ”が、エレベータ用巻上機１０１単体の重心位置に近付き、ワイヤロープ先端のフックが引っ掛けリング１０４ｂに引っ掛けられている位置“Ｂ”よりも重心位置“Ａ”が、寸法“Ｌ１”高くなる場合が生じる。
【００１０】
すると、吊り上げ時に風の影響を受けた場合、エレベータ用巻上機ユニット１００を回転させる向きのモーメントが発生しやすくなり、吊り上げ作業が不安定になる。
【００１１】
本発明はこのような課題を解決するためになされたもので、その目的は、吊り上げ用の牽引体が係止される吊元の位置をエレベータ用巻上機ユニットの重心位置より高い位置とし、エレベータ用巻上機ユニットの吊り上げを安定して行うことができるエレベータ用巻上機ユニットの吊り治具を提供することである。
【課題を解決するための手段】
【００１２】
本発明の実施の形態に係る第１の特徴は、エレベータ用巻上機ユニットの吊り治具において、マシンビームにエレベータ用巻上機を連結したエレベータ用巻上機ユニットにおける前記マシンビームの上面に連結される取付ビームと、前記取付ビームの上面に連結され、吊り上げ用の牽引体が係止される複数の吊元と、を備えることである。
【発明の効果】
【００１３】
本発明によれば、吊り上げ用の牽引体が係止される吊元の位置をエレベータ用巻上機ユニットの重心位置より高い位置とすることができ、エレベータ用巻上機ユニットの吊り上げを安定して行うことができる。
【発明を実施するための最良の形態】
【００１４】
以下、本発明の実施の形態を図面を用いて説明する。
【００１５】
（第１の実施の形態）
本発明の第１の実施の形態に係るエレベータ用巻上機ユニットの吊り治具１は、図１に示すように、エレベータ用巻上機ユニット２に連結されている。
【００１６】
エレベータ用巻上機ユニット２の基本的構造は図９及び図１０に示したエレベータ用巻上機ユニット１００と同じであり、メインシーブ３を有するエレベータ用巻上機４と、平行に対向して井形状に連結された二対のマシンビーム５，６と、そらせシーブ７とを備えている。マシンビーム５，６は、マシンビーム６が上側となる位置に連結され、上側に位置するマシンビーム６の上面側にエレベータ用巻上機４が固定された巻上機ベッド８がボルト締め等により固定されている。
【００１７】
吊り治具１は、図３ないし図５に示すように、取付ビーム９と、2つの吊元１０とを備えている。
【００１８】
取付ビーム９は、上面板９ａと下面板９ｂとを有する断面形状がＨ形に形成された長尺の鋼材である。上面板９ａの長手方向の両端部には複数の取付穴１１が形成されている。下面板９ｂの長手方向の両端部には複数の取付穴１２が形成されている。
【００１９】
吊元１０は、平板状のブラケット１０ａと、ブラケット１０ａに溶接された係止板１０ｂとを供えている。係止板１０ｂには、吊り上げ用の牽引体、例えば、ワイヤロープの先端に取付けられたフックが係止される係止穴１３が形成されている。ブラケット１０ａには、複数の取付穴１４が形成されている。
【００２０】
吊元１０は、ボルト１５とナット１６とを用いて取付ビーム９に連結されている。取付ビーム９への吊元１０の連結は、ブラケット１０ａに形成された取付穴１４と取付ビーム９の上面板９ａに形成された取付穴１１とを対向させ、対向する取付穴１４，１１にボルト１５を挿通し、取付穴１４，１１を挿通したボルト１５の先端側にナット１６を螺合させることにより行われている。
【００２１】
吊り治具１は、図１及び図２に示すように一対設けられ、一対の吊り治具１は、エレベータ用巻上機ユニット２の対向して平行に位置する一対のマシンビーム５間に、エレベータ用巻上機４の両側に位置して連結されている。吊り治具１は、一端が一方のマシンビーム５に連結され、他端が他方のマシンビーム５に連結されている。
【００２２】
マシンビーム５は、上面板５ａと下面板５ｂとを有する断面形状がＨ形に形成された長尺の鋼材である。上面板５ａには、吊り治具１を連結するための複数の取付穴１７が形成されている。マシンビーム５への取付ビーム９への連結は、マシンビーム５の上面板５ａに形成された取付穴１７と取付ビーム９の下面板９ｂに形成された取付穴１２とを対向させ、対向する取付穴１７，１２にボルト１８を挿通し、取付穴１７，１２を挿通したボルト１８の先端側にナット１９を螺合させることにより行われている。
【００２３】
吊り治具１は、取付ビーム９の上面に吊元１０を連結することにより形成され、取付ビーム９がエレベータ用巻上機ユニット２のマシンビーム５の上面に連結されている。これにより、吊元１０の係止板１０ｂに形成された係止穴１３の位置を高い位置とすることができる。このため、エレベータ用巻上機ユニット２に吊り治具１が連結された場合において、言い換えると、マシンビーム５に取付ビーム９が連結された場合において、ワイヤロープの先端に取付けられたフックが吊元１０の係止穴１３に係止される係止位置“ｂ”の高さ位置を、エレベータ用巻上機ユニットの重心位置“ａ”の高さ位置より、寸法“Ｌ２”上方に位置させることができる。
【００２４】
マシンビーム５への取付ビーム９の連結位置、及び、取付ビーム９への吊元１０の連結位置に関して、エレベータ用巻上機ユニット２の重心位置“ａ”から、重心位置“ａ”を挟んだ水平方向に位置する一対の吊元１０までの距離“Ｘ”が、等しく設定されている。また、マシンビーム５へ取付ビーム９を連結した場合において、エレベータ用巻上機ユニット２の重心位置“ａ”から、重心位置“ａ”を挟んだ水平方向に位置する一対の吊元１０までの距離“Ｙ”が、等しく設定されている。
【００２５】
このような構成において、エレベータ用巻上機ユニット２に吊り治具１を連結し、吊り上げ用のワイヤーロープの先端に取付けたフックを吊元１０の係止穴１３に係止した場合において、係止位置“ｂ”がエレベータ用巻上機ユニット２の重心位置“ａ”より高い位置となっている。このため、エレベータ用巻上機ユニット２の吊り上げ時に風の影響を受けた場合でも、エレベータ用巻上機ユニット２を回転させる向きのモーメントが発生しにくくなり、吊り上げ作業を安定して行うことができる。
【００２６】
さらに、エレベータ用巻上機ユニット２の重心位置“ａ”からその両側に位置する一対の吊元１０までの水平方向の距離“Ｘ”、“Ｙ”が等しく設定されているので、各吊元１０の係止穴１３に係止するワイヤロープの長さを同じ長さにすれば、重心位置“ａ”の真上の位置を吊り上げ中心位置（吊心位置）とすることができる。このため、吊り上げ作業時において、重心位置“ａ”と吊心位置とのずれが原因となって発生するエレベータ用巻上機ユニット２の傾きを防止することができ、エレベータ用巻上機ユニット２の吊り上げ作業を安定して行うことができる。
【００２７】
（第２の実施の形態）
本発明の第２の実施の形態を図６ないし図８に基づいて説明する。なお、第１の実施の形態において説明した構成要素と同じ構成要素には同じ符号を付け、重複する説明は省略する。
【００２８】
本実施の形態の吊り治具２１は、取付ビーム２２と、2つの吊元１０とを備えている。
【００２９】
取付ビーム２２は、上面板２２ａと下面板２２ｂとを有する断面形状がＨ形に形成された長尺の鋼材である。上面板２２ａの長手方向の両端部には、取付ビーム２２の長手方向に沿って延出する一対の長穴２３が形成されている。下面板２２ｂの長手方向の両端部には、取付ビーム２２の長手方向に沿って延出する一対の長穴２４が形成されている。
【００３０】
吊元１０は、ボルト１５とナット１６とを用いて取付ビーム２２に連結されている。取付ビーム２２への吊元１０の連結は、ブラケット１０ａに形成された取付穴１４と取付ビーム２２の上面板２２ａに形成された長穴２３とを対向させ、対向する取付穴１４と長穴２３とにボルト１５を挿通し、取付穴１４と長穴２３とを挿通したボルト１５の先端側にナット１６を螺合させることにより行われている。
【００３１】
吊り治具２１は図６に示すように一対設けられ、一対の吊り治具２１は、エレベータ用巻上機ユニット２の対向して平行に位置する一対のマシンビーム５間に、エレベータ用巻上機４の両側に位置して連結されている。吊り治具２１は、一端が一方のマシンビーム５に連結され、他端が他方のマシンビーム５に連結されている。
【００３２】
マシンビーム５への取付ビーム２２の連結は、マシンビーム５の上面板５ａに形成された取付穴１７と取付ビーム２２の下面板２２ｂに形成された長穴２４とを対向させ、対向する取付穴１７と長穴２４とにボルト１８を挿通し、取付穴１７と長穴２４とを挿通したボルト１８の先端側にナット１９を螺合させることにより行われている。
【００３３】
このような構成において、取付ビーム２２への吊元１０の連結を長穴２３を用いて行っているため、取付ビーム２２への吊元１０の連結位置を長穴２３の長手方向に沿って調節することができる。
【００３４】
また、マシンビーム５への取付ビーム２２の連結を長穴２４を用いて行っているため、マシンビーム５への取付ビーム２２の連結位置を長穴２４の長手方向に沿って調節することができる。
【００３５】
エレベータ用巻上機ユニット２においては、エレベータ用巻上機４の揚程やエレベータ用巻上機４の外形寸法等により、エレベータ用巻上機ユニット２の重心位置“ａ”が水平方向に移動する場合がある。これらの場合には、長穴２３を利用して取付ビーム２２への吊元１０の連結位置を変更することができ、又は、長穴２４を利用してマシンビーム５への取付ビーム２２の連結位置を変更することができる。これにより、エレベータ用巻上機ユニット２の重心位置“ａ”からその両側に位置する一対の吊元１０までの水平方向の距離を等しくすることができる。このため、吊り上げ作業時に、重心位置“ａ”と吊心位置とのずれが原因となるエレベータ用巻上機ユニット２の傾き発生を防止することができ、エレベータ用巻上機ユニット２の吊り上げ作業を安定して行うことができる。
【図面の簡単な説明】
【００３６】
【図１】本発明の第１の実施の形態に係る吊り治具を連結したエレベータ用巻上機ユニットを示す平面図である。
【図２】その側面図である。
【図３】吊り治具を示す平面図である。
【図４】吊り治具を示す側面図である。
【図５】吊り治具を示す正面図である。
【図６】本発明の第２の実施の形態に係る吊り治具を連結したエレベータ用巻上機ユニットを示す平面図である。
【図７】吊り治具を示す平面図である。
【図８】取付ビームの一部を示す斜視図である。
【図９】従来例の吊元を備えたエレベータ用巻上機ユニットを示す平面図である。
【図１０】その側面図である。
【符号の説明】
【００３７】
１      吊り治具
２      エレベータ用巻上機ユニット
４      エレベータ用巻上機
５      マシンビーム
９      取付ビーム
１０      吊元
２１      吊り治具
２２      取付ビーム
２２ａ    上面板
２２ｂ    下面板
２３      長穴
２４      長穴
【図１】
2007182270.tif 000003
【図２】
2007182270.tif 000004
【図３】
2007182270.tif 000005
【図４】
2007182270.tif 000006
【図５】
2007182270.tif 000007
【図６】
2007182270.tif 000008
【図７】
2007182270.tif 000009
【図８】
2007182270.tif 000010
【図９】
2007182270.tif 000011
【図１０】
2007182270.tif 000012